(57)【要約】【課題】比較的簡易な構造により、ドラム缶内の異物を自動的に除去することができるドラム缶内部ごみ自動掃除装置を提供する。【解決手段】負圧化可能に外部と区画された室内に、外部から搬送されたドラム缶を開口を上にして立て向きに反転させる反転機を設け、該反転機の下流には前記ドラム缶を自転させる回転機を設け、この回転機の近傍に、ドラム缶の内側面に接して異物を吸引する側面吸引ブラシとドラム缶の地板と接して異物を吸引する地板吸引ブラシと、それらを先端に有し後方が室外の吸引機に導かれる昇降自在なノズル管を備えた異物除去機を配している。【選択図】図１
0003117826.tif 000002
【実用新案登録請求の範囲】
【請求項１】
負圧化可能に外部と区画された室内に、外部から搬送されたドラム缶を開口を上にして立て向きに反転させる反転機を設け、該反転機の下流には前記ドラム缶を自転させる回転機を設け、この回転機の近傍に、ドラム缶の内側面に接して異物を吸引する側面吸引ブラシとドラム缶の地板と接して異物を吸引する地板吸引ブラシと、それらを先端に有し後方が室外の吸引機に導かれる昇降自在なノズル管を備えた異物除去機を配していることを特徴とするドラム缶内部ごみ自動掃除装置。
【請求項２】
異物除去機は、吸引管を保持して昇降するスライド部を有し、このスライド部から先の吸引管が可撓性ホースに接続されており、可撓性ホースは端部が吸引主配管に接続されている請求項１に記載のドラム缶内部ごみ自動掃除装置。
【考案の詳細な説明】
【技術分野】
【０００１】
本考案はドラム缶内部のごみを自動的に掃除する装置に関する。
【背景技術】
【０００２】
ドラム缶とりわけ上方が開放されているオープンドラム缶は再生使用される。この再生工程では、内容物を消費後、底部などに残留している内容物を除去し、さらに加熱して焼却し、洗浄，乾燥を行い、塗装、施蓋をしてユーザーに出荷され、ユーザー側はこの再生ドラム缶に新たに内容物を充填する。
【０００３】
その充填物が、たとえば上塗り塗装、薬品などクリーン度が要求され従って異物の混入が嫌われるものである場合、ドラム缶は清浄度の高いことが要求されるが、前記再生工程は、洗浄をショットブラストで行うことが多く、このショットブラスト直後に鉄微粒子を完全に除去したつもりであっても、微量な鉄微粒子がドラム缶内に残ってしまいやすい。また、施蓋までの間のドラム缶移送工程で、工場内に浮遊している繊維の屑やなどの異物もドラム缶内に侵入しやすい。
【０００４】
このため、従来ではユーザーにクリーン度が高い状態で出荷することがかなり困難となり、労力のかかる手作業でドラム缶内を掃除しなければならず、それでも微小な異物はなかなか取りきれないので、ユーザー側で改めて手間と時間のかかる入念な清掃を行わなければならない問題があった。
【考案の開示】
【考案が解決しようとする課題】
【０００５】
本考案は前記のような問題点を解消するためになされたもので、その目的とするところは、比較的簡易な構造により、ドラム缶内の異物を自動的に除去することができるドラム缶内部ごみ自動掃除装置を提供することにある。
【課題を解決するための手段】
【０００６】
上記目的を達成するため本考案は、負圧化可能に外部と区画された室内に、外部から搬送されたドラム缶を開口を上にして立て向きに反転させる反転機を設け、該反転機の下流には前記ドラム缶を自転させる回転機を設け、この回転機の近傍に、ドラム缶の内側面に接して異物を吸引する側面吸引ブラシとドラム缶の地板と接して異物を吸引する地板吸引ブラシと、それらを先端に有し後方が室外の吸引機に導かれる昇降自在なノズル管を備えた異物除去機を配していることを特徴としている。
【考案の効果】
【０００７】
本考案によるときには、ショットブラスなどで洗浄されたドラム缶を室内に搬送すれば、ドラム缶が自動的に直立させ、次いで回転させながらドラム缶の側面と底面を擦りながら吸引が行われ、その吸引排気が室外に連続的に移送されるので、ドラム缶内のショットブラス工程後も取りきれなかった微小な残留異物や、搬送工程で混入された他の異物などをほとんど完全に除去することができる。
しかも、前記ドラム缶の姿勢転換工程、側面と底面のブラッシング・吸引がすべて外部と隔離されて負圧化された室内で行われるので、異物の再付着の心配がなく、非常に清浄度の高い再生ドラム缶として次の工程に送り出すことができるというすぐれた効果が得られる。
【考案を実施するための最良の形態】
【０００８】
異物除去機は、吸引管を保持して昇降するスライド部を有し、このスライド部から先の吸引管が可撓性ホースに接続されており、可撓性ホースは端部が吸引主配管に接続されている。
これによれば、ドラム缶を昇降させることなく定位置で回転させたまま、スライド部の下降で側面吸引ブラシと地板吸引ブラシがドラム缶の側面と底面を擦って異物を掃き出しつつそれを瞬時に吸引排出させることができ、可撓性ホースはダクトとしてだけでなく、前記吸引管の昇降時に傾斜し撓んで変位に追従する手段としても機能するので、構造を簡易化することができる。
【実施例１】
【０００９】
以下添付図面を参照して本考案の実施例を説明する。
図１ないし図４は本考案によるドラム缶内部ごみ自動掃除装置の一実施例を示している。
１は処理室であり、周囲が壁部材、合成樹脂シートなどの遮断手段１ａにより外部と気密的に区画されており、一側には自動シャッター５ａで仕切られた入口部５が、他側には自動シャッター６ａで仕切られた出口部６が設けられ、入口部５には洗浄・乾燥処理工程域からのコンベア７が連続して至っている。また、出口部６は塗装工程域に通じている。
【００１０】
前記コンベア７の下流には直線状の第１コンベア８が配置され、この第１コンベア８の端部位置にはこれと交差するように第２コンベア９が配置されており、前記第１コンベア８の始端部側方には、コンベア７で運ばれてきたドラム缶Ｄを反転する反転機２が配置され、第１コンベア７の終端と第２コンベア８の始端の交差部にはドラム缶Ｄをその軸線の周りで回転させる回転機３が設けられている。そして、第１コンベア８の終端と対峙する位置には、前記回転機３と協働してドラム缶内を清掃する異物除去機４が配置されている。
【００１１】
前記反転機２は、図２のように、架台２ａに、開口を横向きあるいは開口を下向きにした状態で送られてきたドラム缶Ｄを移動停止させるストッパー２ｃと、これからの信号で作動し、移動停止したドラム缶を抱きかかえ、開口が上向きになるまで中空状で反転させるアクチュエータを含む反転アーム２ｂを搭載してなる。前記架台２ａには吸引主配管１１が立設されており、該吸引主配管１１は図１のように処理室１を貫いて延出され、外部の吸引機１２たとえば真空ポンプに接続されている。
【００１２】
前記回転機３は、コンベアレベルに対して昇降可能な底部回転ローラ３ａと、側方に旋回自在に配された側部回転ローラ３ｂと、側部回転ローラ３ｂと１８０度対称位置に配されたドラム缶押さえローラ３ｃを具備している。
【００１３】
前記底部回転ローラ３ａは、昇降自在な円形架台にローラを軸架するとともに円形架台を可逆回転する駆動モータ（図示せず）を設けてなり、側部回転ローラ３ｂは、図１と図３のように、シリンダなどによって旋回可能な押付け用アーム３０と、これに搭載された平面三角状の支持アーム３１と、この支持アームの両端に取り付けられたローラ３３を正逆回転させる可逆モータ３２とを備えてなる。ドラム缶押さえローラ３ｃは、旋回自在なアーム３４に従動ローラ３５を取り付けてなる。
【００１４】
また、回転機３には、前記清掃を終えたドラム缶を第２コンベア９へと移動させるための押し出し機構５が併設されている。この押し出し機構５はドラム缶の側部を囲み得る斜めアーム５ａと、この斜めアーム５ａを移動させるシリンダ５ｂのごときからなる。
【００１５】
前記異物除去機４は、前記回転機３の近傍位置において上方に伸びる縦架台４ａを有し、この縦架台４ａに可逆モータ４ｂにより駆動されるスライダ４ｃが摺動可能に搭載されている。スライダ４ｃには前方に延びる保持アーム４ｄの基端が固定されており、その保持アーム４ｄの先端側に２本の吸引管４ｅが抱持されている。
【００１６】
前記吸引管４ｅは回転機３の直上から垂直に伸び、一方の吸引管の先端部にはドラム缶Ｄの直径よりも適度に短い長さを持った地板吸引ブラシ４ｆが連結されている。また、他方の吸引管は下端部が外方に屈曲され、その先端部に側面吸引ブラシ４ｇが連結されている。前記地板吸引ブラシ４ｆと側面吸引ブラシ４ｇはそれぞれブロック状をなし、先端面の中央に沿ってにスリット状の吸引穴４０が設けられるとともにこれを囲んで多数のブラシ４１が植設されている。
【００１７】
前記吸引管４ｅの上端には可撓性ホース４ｈたとえばジャバラホースが接続されており、可撓性ホースは水平状に延出し，端部が集合管を介して前記吸引主配管１１に接続されている。
前記異物除去機４の近傍には制御盤４ｉが配置されており、これに前記回転機３と異物除去機４の駆動をプログラム制御するコントローラが内蔵されている。
【００１８】
本発明の動作と作用を説明すると、運転に先立って吸引機１２を作動させれば、地板吸引ブラシ4ｆと側面吸引ブラシ４ｇが中空位置で開口しているので、処理室内の空気が吸引され、吸引管４ｅ、可撓性ホース４ｈおよび吸引主配管１１を通して外部に吸引され、処理室内は次第に負圧化される。
この状態において、洗浄・乾燥を終えたドラム缶Ｄがコンベア７で搬送されてくると、図示しないセンサーが感知して自動シャッター５ａが開き、コンベアによって処理室内に導入される。
【００１９】
ドラム缶が第１コンベア８の始端部にいたると、ストッパー２ａによって移動が停止され、反転アーム２ｂが作動してドラム缶を掴みこれを回転させて開口が上向きになるように姿勢を転換させる。
この状態で第１コンベア８が再び駆動することにより立て向きドラム缶はそのままの姿勢で移動され、回転機３の直上にいたる。これを図示しないセンサーが検知すると、底部回転ローラ３ａが上昇してローラがドラム缶の底を支え、それと同時に押付け用アーム３０が待機位置から旋回して支持アーム３１をドラム缶に近接させ、支持アームの両端に取り付けられたローラ３３，３３がドラム缶の側面に接触すると共に、可逆モータ３２で駆動されるので、ドラム缶はたとえば時計方向に回転させられる。このとき、ドラム缶Ｄの反対側面は押さえローラ３ｃによって受け止められているので、位置ずれすることなく円滑に回転する。
【００２０】
この状態において、昇降用モータ４ｂが駆動すると、図２と図３の上昇限位置にあるスライダ４ｃがゆっくりと下降を開始する。これにより、保持アーム４ｄの平行移動で吸引管４ｅはドラム缶Ｄの開口から内部へと侵入していく。このときの変位は可撓性ホース４ｈが下傾したわむことによって無理なく行われる。
【００２１】
前記のように吸引管４ｅが下降すると、側面吸引ブラシ４ｇが回転中のドラム缶Ｄの内側面ｄ1に近接し、これによりブラシ４１がドラム缶の内側面と強接し、擦る動作が持続される。それにより、内側面が払拭され、付着していた異物は底へと落下させるか、あるいは側面吸引ブラシの端面の吸引孔４０から吸引されて、吸引管４ｅ、可撓性ホース４ｈ、吸引主配管１１を通して処理室の外部に搬送され、吸引機１２で排出される。前記内側面ｄ１の払拭は吸引管４ｅの下降により位置をしずらしながら連続的に行われ、その間ドラム缶中に浮遊する異物は、下方に吸引孔４０を開口している地板吸引ブラシ４ｆから吸引され、前記経路にて処理室外部に排出される。
【００２２】
こうして吸引管４ｅがドラム缶内を下降し、地板吸引ブラシ４ｆがドラム缶の地板ｄ２に達すると、これを検知して回転機３の駆動モータが逆方向たとえば反時計方向に駆動される。これによりドラム缶Ｄの回転は逆になり、地板吸引ブラシ４ｆがドラム缶地板ｄ２をゆっくりと擦りつつ、中央線状のスリット４０から吸引し、ドラム缶地板上にある異物を吸引排出する。
この動作が一定時間続くと、モータ４ｂが逆転して吸引管４ｅがゆっくりと上昇を開始する。これにより地板吸引ブラシ４ｆがドラム缶地板ｄ２から離間してドラム缶内部空気を吸引しながら、また、側面吸引ブラシ４ｇがドラム缶Ｄの内側面ｄ１を前記下降時と逆方向に擦りつつ吸引する動作が持続され、吸引ブラシ４ｆ、４ｇがドラム缶の開口から脱出したところで、回転機３のモータが駆動を停止し、その後、底部回転ローラ３ａが下がる．これにより、掃除済みのドラム缶Ｄはコンベアに受支される。
【００２３】
これを確認すると押し出し機構５のシリンダ５ｂが作動し、斜めアーム５ａが移動するので、掃除済みのドラム缶は押し出されて第２コンベア９に移置され、ここで人力あるいは付設した第３コンベアによって出口部６に到り、自動シャッター６ａが開くことにより塗装工程などへと移送される。
この間、次のドラム缶が入口部にいたっており、前記過程を経て清掃される。従って、人手を要さずに自動的にドラム缶内の異物を排出して、清浄度の非常に高い状態にすることができる。
【００２４】
なお、図示するものは本考案の一実施例であり、吸引管を２本独立させているが、これに代えて１本の吸引管を分岐させてもよい。
【図面の簡単な説明】
【００２５】
【図１】本考案によるドラム缶内部ごみ自動掃除装置の一実施例を示す平面図である。
【図２】同じくその側面図である。
【図３】異物吸引機部分の正面図である。
【図４】吸引管の下降時の状態を示す断面図である。
【図５】図４のＸ−Ｘ線に沿う断面図である。
【符号の説明】
【００２６】
１  処理室
２  反転機
３  回転機
４  異物除去機
４ｅ  吸引管
４ｆ  地板吸引ブラシ
４ｇ  側面吸引ブラシ
４ｈ  可撓性ホース
８  第１コンベア
９  第２コンベア
１１  吸引本官
１２  吸引機
【図１】
0003117826.tif 000003
【図２】
0003117826.tif 000004
【図３】
0003117826.tif 000005
【図４】
0003117826.tif 000006
【図５】
0003117826.tif 000007